(57)【要約】【課題】  処理量を減らし、メモリ等のリソースの無駄な使用を削減可能な信号処理ノード装置を提供する。【解決手段】  中継ノード装置（１）は、試験電話機との間の第１の呼の生成と、被試験電話機との間の第２の呼の生成とを行い、第１の呼と第２の呼とを結んで試験電話機と被試験電話機との接続試験を行う。そのために、中継ノード装置（１）は、ＩＮＶＩＴＥ，２００ＯＫ（ＩＮＶＩＴＥ），ＡＣＫ（ＩＮＶＩＴＥ）の３つのＳＩＰ信号のみを用いて第１の呼及び第２の呼を生成する処理手段（試験呼用セッション処理部１０２）を有している。【選択図】      図１
2010147615.tif 000002
【特許請求の範囲】
【請求項１】
試験電話機との間の第１の呼の生成と、被試験電話機との間の第２の呼の生成とを行い、前記第１の呼と前記第２の呼とを結んで前記試験電話機と前記被試験電話機との接続試験を行うための中継ノード装置であって、
ＩＮＶＩＴＥ，２００ＯＫ（ＩＮＶＩＴＥ），ＡＣＫ（ＩＮＶＩＴＥ）の３つのＳＩＰ（Ｓｅｓｓｉｏｎ  Ｉｎｉｔｉａｔｉｏｎ  Ｐｒｏｔｏｃｏｌ）信号のみを用いて前記第１の呼及び前記第２の呼を生成する処理手段を有することを特徴とする中継ノード装置。
【請求項２】
前記処理手段は、通常呼の生成を行う際のＳＩＰ信号から、１００Ｔｒｙｉｎｇ，１８３  Ｓｅｓｓｉｏｎ  Ｐｒｏｇｒｅｓｓ，ＰＲＡＣＫ，２００ＯＫ（ＰＲＡＣＫ），１８０Ｒｉｎｇｉｎｇ，ＰＲＡＣＫ，２００ＯＫ（ＰＲＡＣＫ）を省略することを特徴とする請求項１記載の中継ノード装置。
【請求項３】
保守端末から接続試験のためのコマンドが入力された時に前記処理手段を起動することを特徴とする請求項１または請求項２記載の中継ノード装置。
【請求項４】
前記処理手段は、前記ＩＮＶＩＴＥに、試験呼のための発信であることを示すＳＤＰ（Ｓｅｓｓｉｏｎ  Ｄｅｓｃｒｉｐｔｉｏｎ  Ｐｒｏｔｏｃｏｌ）を付与して送信することを特徴とする請求項１から請求項３のいずれか記載の中継ノード装置。
【請求項５】
試験電話機と中継ノード装置との間の第１の呼の生成と、被試験電話機と前記中継ノード装置との間の第２の呼の生成とを行い、前記中継ノード装置において前記第１の呼と前記第２の呼とを結んで前記試験電話機と前記被試験電話機との接続試験を行う電話システムであって、
前記中継ノード装置は、ＩＮＶＩＴＥ，２００ＯＫ（ＩＮＶＩＴＥ），ＡＣＫ（ＩＮＶＩＴＥ）の３つのＳＩＰ（Ｓｅｓｓｉｏｎ  Ｉｎｉｔｉａｔｉｏｎ  Ｐｒｏｔｏｃｏｌ）信号のみを用いて前記第１の呼及び前記第２の呼を生成する処理手段を有することを特徴とする電話システム。
【請求項６】
前記処理手段は、通常呼の生成を行う際のＳＩＰ信号から、１００Ｔｒｙｉｎｇ，１８３  Ｓｅｓｓｉｏｎ  Ｐｒｏｇｒｅｓｓ，ＰＲＡＣＫ，２００ＯＫ（ＰＲＡＣＫ），１８０Ｒｉｎｇｉｎｇ，ＰＲＡＣＫ，２００ＯＫ（ＰＲＡＣＫ）を省略することを特徴とする請求項５記載の電話システム。
【請求項７】
前記中継ノード装置は、保守端末から接続試験のためのコマンドが入力された時に前記処理手段を起動することを特徴とする請求項５または請求項６記載の電話システム。
【請求項８】
前記処理手段は、前記ＩＮＶＩＴＥに、試験呼のための発信であることを示すＳＤＰ（Ｓｅｓｓｉｏｎ  Ｄｅｓｃｒｉｐｔｉｏｎ  Ｐｒｏｔｏｃｏｌ）を付与して送信することを特徴とする請求項５から請求項７のいずれか記載の電話システム。
【請求項９】
試験電話機と中継ノード装置との間の第１の呼の生成と、被試験電話機と前記中継ノード装置との間の第２の呼の生成とを行い、前記中継ノード装置において前記第１の呼と前記第２の呼とを結んで前記試験電話機と前記被試験電話機との接続試験を行う電話システムに用いる接続性試験方法であって、
前記中継ノード装置が、ＩＮＶＩＴＥ，２００ＯＫ（ＩＮＶＩＴＥ），ＡＣＫ（ＩＮＶＩＴＥ）の３つのＳＩＰ（Ｓｅｓｓｉｏｎ  Ｉｎｉｔｉａｔｉｏｎ  Ｐｒｏｔｏｃｏｌ）信号のみを用いて前記第１の呼及び前記第２の呼を生成する呼制御処理を実行することを特徴とする接続性試験方法。
【請求項１０】
前記呼制御処理において、通常呼の生成を行う際のＳＩＰ信号から、１００Ｔｒｙｉｎｇ，１８３  Ｓｅｓｓｉｏｎ  Ｐｒｏｇｒｅｓｓ，ＰＲＡＣＫ，２００ＯＫ（ＰＲＡＣＫ），１８０Ｒｉｎｇｉｎｇ，ＰＲＡＣＫ，２００ＯＫ（ＰＲＡＣＫ）を省略することを特徴とする請求項９記載の接続性試験方法。
【請求項１１】
前記中継ノード装置が、保守端末から接続試験のためのコマンドが入力された時に前記呼制御処理を起動することを特徴とする請求項９または請求項１０記載の接続性試験方法。
【請求項１２】
前記呼制御処理において、前記ＩＮＶＩＴＥに、試験呼のための発信であることを示すＳＤＰ（Ｓｅｓｓｉｏｎ  Ｄｅｓｃｒｉｐｔｉｏｎ  Ｐｒｏｔｏｃｏｌ）を付与して送信することを特徴とする請求項９から請求項１１のいずれか記載の接続性試験方法。
【発明の詳細な説明】
【技術分野】
【０００１】
本発明は中継ノード装置、電話システム及びそれらに用いる接続性試験方法に関し、特にＳＩＰ（Ｓｅｓｓｉｏｎ  Ｉｎｉｔｉａｔｉｏｎ  Ｐｒｏｔｏｃｏｌ）を用いる電話システムにおける電話機〜Ｕ−Ｐｌａｎｅ装置間の接続性の試験に関する。
【背景技術】
【０００２】
この種の電話システムにおいては、電話機〜Ｕ−Ｐｌａｎｅ装置（ユーザ情報を転送するための装置）間の接続性の試験を行う場合、試験電話機とＵ−Ｐｌａｎｅ装置（音声を送受信する装置）とを、また被試験電話機とＵ−Ｐｌａｎｅ装置とをそれぞれセッション（呼）で結んでいる。
【０００３】
その後、電話システムにおいては、試験電話機に接続されたＵ−Ｐｌａｎｅ装置と被試験電話機に接続されたＵ−Ｐｌａｎｅ装置とを結ぶ方法で、試験電話機と被試験電話機とをつなげる方法がとられている。
【０００４】
電話システムにおいては、電話機〜Ｕ−Ｐｌａｎｅ装置搭載ノード間の接続性を確認する試験の一手段として、試験用に用意した別の電話機から発呼する方法がある。この場合、試験電話機〜Ｕ−Ｐｌａｎｅ装置搭載ノード間のセッション（呼）を張り、次に被試験電話機〜Ｕ−Ｐｌａｎｅ装置搭載ノードのセッション（呼）を張り、最後にＵ−Ｐｌａｎｅ装置搭載ノード内でそれらの呼を結ぶことにより、被試験電話機と試験電話機とを結んで、被試験電話機と試験電話機との接続性を試験している。
【０００５】
この試験電話機〜Ｕ−Ｐｌａｎｅ装置搭載ノード間の呼の生成、また被試験電話機〜Ｕ−Ｐｌａｎｅ装置搭載ノード間の呼の生成において、通常の発信呼の生成と同じ処理で呼を生成する場合は、ＳＩＰ信号処理ノード間で以下のＳＩＰ信号がやり取りされる。
【０００６】
つまり、やり取りされるＳＩＰ信号は、順に、ＩＮＶＩＴＥリクエスト（セッション確立要求するためのメッセージ），１００Ｔｒｙｉｎｇレスポンス（受信を通知するためのメッセージ），１８３  Ｓｅｓｓｉｏｎ  Ｐｒｏｇｒｅｓｓレスポンス（呼出中状態以外を通知するためのメッセージ），ＰＲＡＣＫリクエスト（送達確認のために送信されるメッセージ），２００ＯＫ（ＰＲＡＣＫ）レスポンス（ＰＲＡＣＫリクエストに対する確認応答），１８０Ｒｉｎｇｉｎｇレスポンス（呼出中状態を通知するためのメッセージ），ＰＲＡＣＫリクエスト，２００ＯＫ（ＰＲＡＣＫ）レスポンス，２００ＯＫ（ＩＮＶＩＴＥ）レスポンス（セッションの確立を通知するためのメッセージ），ＡＣＫ（ＩＮＶＩＴＥ）（レスポンスを受信したことを確認するためのメッセージ）の１０個である。
【０００７】
これらの信号の中には、ＳＩＰ信号処理中を表す１８３  Ｓｅｓｓｉｏｎ  Ｐｒｏｇｒｅｓｓや、相手方の電話のベルを鳴らすための１８０  Ｒｉｎｇｉｎｇも含まれている。
【０００８】
上記のＳＩＰのメッセージについては、下記の特許文献１の背景技術に記載されている。
【特許文献１】特開２００５−２５２３４１号公報
【発明の開示】
【発明が解決しようとする課題】
【０００９】
しかしながら、本発明に関連する電話システムでは、被試験電話機と試験電話機との接続性を試験する場合、上記のようなＳＩＰ信号がＵ−Ｐｌａｎｅ装置搭載ノードにとって不要であり、Ｕ−Ｐｌａｎｅ装置搭載ノード内で廃棄されるだけなので、無駄になるという問題がある。
【００１０】
通常、最初に生成するセッション（呼）でも、通常発信と同じように各種のＳＩＰ信号をやり取りするが、上記のような試験の場合には、セッション（呼）の片端が電話機でなく、Ｕ−Ｐｌａｎｅ装置なので、以下のような課題がある。
【００１１】
第１の課題は、Ｕ−Ｐｌａｎｅ装置に不要なＳＩＰ信号の送受信・処理があるという点である。第２の課題は、不要なＳＩＰ信号の送受信・処理が原因で、メモリ等のリソースを無駄に使用するという点である。第３の課題は、不要なＳＩＰ信号の送受信・処理が原因で、装置に余計な処理量や負荷がかかるという点である。
【００１２】
そこで、本発明の目的は上記の問題点を解消し、処理量を減らすことができ、メモリ等のリソースの無駄な使用を削減することができる中継ノード装置、電話システム及びそれらに用いる接続性試験方法を提供することにある。
【課題を解決するための手段】
【００１３】
本発明による中継ノード装置は、試験電話機との間の第１の呼の生成と、被試験電話機との間の第２の呼の生成とを行い、前記第１の呼と前記第２の呼とを結んで前記試験電話機と前記被試験電話機との接続試験を行うための中継ノード装置であって、
ＩＮＶＩＴＥ，２００ＯＫ（ＩＮＶＩＴＥ），ＡＣＫ（ＩＮＶＩＴＥ）の３つのＳＩＰ（Ｓｅｓｓｉｏｎ  Ｉｎｉｔｉａｔｉｏｎ  Ｐｒｏｔｏｃｏｌ）信号のみを用いて前記第１の呼及び前記第２の呼を生成する処理手段を備えている。
【００１４】
本発明による電話システムは、試験電話機と中継ノード装置との間の第１の呼の生成と、被試験電話機と前記中継ノード装置との間の第２の呼の生成とを行い、前記中継ノード装置において前記第１の呼と前記第２の呼とを結んで前記試験電話機と前記被試験電話機との接続試験を行う電話システムであって、
前記中継ノード装置は、ＩＮＶＩＴＥ，２００ＯＫ（ＩＮＶＩＴＥ），ＡＣＫ（ＩＮＶＩＴＥ）の３つのＳＩＰ（Ｓｅｓｓｉｏｎ  Ｉｎｉｔｉａｔｉｏｎ  Ｐｒｏｔｏｃｏｌ）信号のみを用いて前記第１の呼及び前記第２の呼を生成する処理手段を備えている。
【００１５】
本発明による接続性試験方法は、試験電話機と中継ノード装置との間の第１の呼の生成と、被試験電話機と前記中継ノード装置との間の第２の呼の生成とを行い、前記中継ノード装置において前記第１の呼と前記第２の呼とを結んで前記試験電話機と前記被試験電話機との接続試験を行う電話システムに用いる接続性試験方法であって、
前記中継ノード装置が、ＩＮＶＩＴＥ，２００ＯＫ（ＩＮＶＩＴＥ），ＡＣＫ（ＩＮＶＩＴＥ）の３つのＳＩＰ（Ｓｅｓｓｉｏｎ  Ｉｎｉｔｉａｔｉｏｎ  Ｐｒｏｔｏｃｏｌ）信号のみを用いて前記第１の呼及び前記第２の呼を生成する呼制御処理を実行している。
【発明の効果】
【００１６】
本発明は、上記のような構成及び動作とすることで、処理量を減らすことができ、メモリ等のリソースの無駄な使用を削減することができるという効果が得られる。
【発明を実施するための最良の形態】
【００１７】
次に、本発明の実施の形態について図面を参照して説明する。まず、本発明による電話システムの概要について説明する。本発明による電話システムは、試験電話機と被試験電話機との間の接続試験を行う場合、試験電話機と中継ノードとの間、被試験電話機と中継ノードとの間に試験呼を張る際に、不要なＳＩＰ（Ｓｅｓｓｉｏｎ  Ｉｎｉｔｉａｔｉｏｎ  Ｐｒｏｔｏｃｏｌ）信号を生成しないことにより、メモリ等のリソースの削減や処理時間の短縮を図ることを可能としている。
【００１８】
これにより、本発明は、電話システムにおける、ある電話端末と中継ノードとの間の接続性を確認する試験において、試験用の呼を張るために処理されるＳＩＰ信号に、通常の発信呼の場合のＳＩＰ信号をそのまま使用する場合、不要なＳＩＰ信号をも流してしまうという問題を解決することができる。
【００１９】
図１は本発明の第１の実施の形態によるＳＩＰ信号処理ノード装置の構成例を示すブロック図である。図１において、ＳＩＰ信号処理ノード装置１は、複数のＵ−Ｐｌａｎｅ装置１１〜１ｍと、Ｃ−Ｐｌａｎｅ装置１０とから構成されている。
【００２０】
Ｕ−Ｐｌａｎｅ装置１１〜１ｍは、ユーザ情報を転送するための装置であり、Ｃ−Ｐｌａｎｅ装置１０は、制御信号を転送するシグナリングのための装置である。また、Ｕ−Ｐｌａｎｅ装置１１〜１ｍ各々は、セッション結合点１１１，１２１，・・・，１ｍ１を備えている。さらに、Ｃ−Ｐｌａｎｅ装置１０は、通常呼用セッション処理部１０１と、試験呼用セッション処理部１０２とを備えている。
【００２１】
図２は本発明の第１の実施の形態による電話システムの構成例を示すブロック図である。図２において、本発明の第１の実施の形態による電話システムは、ＳＩＰ信号処理ノード装置１，２と、試験電話機３と、被試験電話機４と、保守端末５とから構成されている。
【００２２】
試験電話機３は、他の電話機の接続性を試験するための試験電話端末で、被試験電話機４は、試験される電話機である。ＳＩＰ信号処理ノード装置１，２は、ノード間のセッション（呼）を張るためにＳＩＰ信号を処理・中継するノードである。また、ＳＩＰ信号処理ノード装置１は、上記の図１に示すような構成となっている。保守端末５は、試験を実施するために保守者が操作を行う端末である。
【００２３】
図３は本発明の第１の実施の形態による電話システムの動作例を示すシーケンスチャートである。これら図１〜図３を参照して、本発明の第１の実施の形態による電話システムの試験動作について説明する。
【００２４】
ＳＩＰ信号処理ノード装置１は、保守端末５から接続試験のためのコマンド［例えば、ｍａｋｅ  ｔｅｓｔ＿ｃａｌｌ１＜試験電話機の電話番号＞］が入力されると（図３のａ１）、試験呼用セッション処理部１０２にて試験電話機３−ＳＩＰ信号処理ノード装置１間のセッション（呼）生成を開始する（図３のａ２）。
【００２５】
ＳＩＰ信号処理ノード装置１は、試験電話機３−ＳＩＰ信号処理ノード装置１間のセッション（呼）生成を開始すると、ＳＩＰ信号処理ノード装置２に最初のＳＩＰ信号であるＩＮＶＩＴＥを送信する（図３のａ３）。このＩＮＶＩＴＥには、ＳＤＰ（Ｓｅｓｓｉｏｎ  Ｄｅｓｃｒｉｐｔｉｏｎ  Ｐｒｏｔｏｃｏｌ）記述文書が付与されているので、ＳＩＰ信号処理ノード装置２は、ＳＤＰ記述文書の中のｓライン（セッションの名称）で試験呼のための発信であることを知ることができる。
【００２６】
ＳＩＰ信号処理ノード装置２は、ＳＩＰ信号処理ノード装置１からＩＮＶＩＴＥを受信すると、ＳＩＰ信号処理ノード装置１に２００ＯＫ（ＩＮＶＩＴＥ）を返信する（図３のａ４）。
【００２７】
ＳＩＰ信号処理ノード装置１は、２００ＯＫ（ＩＮＶＩＴＥ）を受信すると、ＳＩＰ信号処理ノード装置２にＡＣＫ（ＩＮＶＩＴＥ）を送信する（図３のａ５）。これによって、試験電話機３−ＳＩＰ信号処理ノード装置１間のセッション２０１の生成は、完了する。
【００２８】
次に、ＳＩＰ信号処理ノード装置１は、保守端末５から接続試験のためのコマンド［例えば、ｍａｋｅ  ｔｅｓｔ＿ｃａｌｌ２＜被試験電話機の電話番号＞］が入力されると（図３のａ６）、試験呼用セッション処理部１０２にて被試験電話機４−ＳＩＰ信号処理ノード装置１間のセッション（呼）生成を開始する（図３のａ７）。
【００２９】
ＳＩＰ信号処理ノード装置１は、被試験電話機４−ＳＩＰ信号処理ノード装置１間のセッション（呼）生成を開始すると、ＳＩＰ信号処理ノード装置２に最初のＳＩＰ信号であるＩＮＶＩＴＥを送信する（図３のａ８）。このＩＮＶＩＴＥには、ＳＤＰ記述文書が付与されているので、ＳＩＰ信号処理ノード装置２は、ＳＤＰ記述文書の中のｓライン（セッションの名称）で試験呼のための発信であることを知ることができる。
【００３０】
ＳＩＰ信号処理ノード装置２は、ＳＩＰ信号処理ノード装置１からＩＮＶＩＴＥを受信すると、ＳＩＰ信号処理ノード装置１に２００ＯＫ（ＩＮＶＩＴＥ）を返信する（図３のａ９）。
【００３１】
ＳＩＰ信号処理ノード装置１は、２００ＯＫ（ＩＮＶＩＴＥ）を受信すると、ＳＩＰ信号処理ノード装置２にＡＣＫ（ＩＮＶＩＴＥ）を送信する（図３のａ１０）。これによって、被試験電話機４−ＳＩＰ信号処理ノード装置１間のセッション２０２の生成は、完了する。
【００３２】
続いて、ＳＩＰ信号処理ノード装置１は、セッション結合点１１１とセッション結合点１２１とを結び、セッション２０１とセッション２０２とを結ぶことにより（図３のａ１１）、試験電話機３と被試験電話機４とがつながり、それらの間での接続試験が可能となる。
【００３３】
ここで、本実施の形態では、試験電話機３−ＳＩＰ信号処理ノード装置１間のセッション（呼）生成、被試験電話機４−ＳＩＰ信号処理ノード装置１間のセッション（呼）生成において、１００Ｔｒｙｉｎｇレスポンス（受信を通知するためのメッセージ），１８３  Ｓｅｓｓｉｏｎ  Ｐｒｏｇｒｅｓｓレスポンス（呼出中状態以外を通知するためのメッセージ），ＰＲＡＣＫリクエスト（送達確認のために送信されるメッセージ），２００ＯＫ（ＰＲＡＣＫ）レスポンス（ＰＲＡＣＫリクエストに対する確認応答），１８０Ｒｉｎｇｉｎｇレスポンス（呼出中状態を通知するためのメッセージ），ＰＲＡＣＫリクエスト，２００ＯＫ（ＰＲＡＣＫ）レスポンスを省略している。
【００３４】
上記のように、試験電話機３とＵ−Ｐｌａｎｅ装置１１を搭載するＳＩＰ信号処理ノード装置１との間のセッション（呼）を張る場合は、通常の発信呼で用いられるＳＩＰ信号を使用すると、ＩＮＶＩＴＥから始まりＡＣＫ（ＩＮＶＩＴＥ）で終わるまでの約１０個の信号を処理することになる。しかしながら、本実施の形態では、これらの間で生成される、１８０  Ｒｉｎｇｉｎｇ信号（相手方の電話機のベルを鳴らすための信号）等のＳＩＰ信号処理ノード装置１で不要とする信号を省略すると、処理するＳＩＰ信号は、ＩＮＶＩＴＥリクエスト（セッション確立要求するためのメッセージ），２００ＯＫ（ＩＮＶＩＴＥ）レスポンス（セッションの確立を通知するためのメッセージ），ＡＣＫ（ＩＮＶＩＴＥ）（レスポンスを受信したことを確認するためのメッセージ）の３個になる。
【００３５】
これによって、本実施の形態では、試験呼作成におけるＳＩＰ信号を削減することで、ノード間で処理されるＳＩＰ信号の量を削減することができ、メモリ等のリソースの削減や処理時間の短縮を図ることができる。
【００３６】
このように、本実施の形態では、試験電話機〜Ｕ−Ｐｌａｎｅ装置１１を搭載するＳＩＰ信号処理ノード装置１との間のセッション（呼）生成の場合、やり取りするＳＩＰ信号のうち、Ｕ−Ｐｌａｎｅ装置１１に不要な１００Ｔｒｙｉｎｇ，１８３  Ｓｅｓｓｉｏｎ  Ｐｒｏｇｒｅｓｓ，ＰＲＡＣＫ，２００ＯＫ（ＰＲＡＣＫ），１８０Ｒｉｎｇｉｎｇ，ＰＲＡＣＫ，２００ＯＫ（ＰＲＡＣＫ）を省略し、ＩＮＶＩＴＥと２００ＯＫ（ＩＮＶＩＴＥ）とＡＣＫ（ＩＮＶＩＴＥ）との３つだけに絞ることによって、ＳＩＰ信号処理ノード装置１における処理量が減り、メモリ等のリソースの無駄な使用を削減することができる。
【００３７】
また、本実施の形態では、ＳＩＰ信号の処理量が減ることによって、処理時間が減るとともに、装置の負荷を軽減することができる。さらに、本実施の形態では、ＳＩＰ信号処理ノード装置１の負荷の軽減により、他の呼の呼損を低減することができ、処理シーケンスの簡略化によってソフトウェア設計・メンテナンスを軽減することができる。
【００３８】
図４は本発明の第２の実施の形態による電話システムの構成例を示すブロック図である。図４においては、本発明の第２の実施の形態による電話システムとして、その基本的構成が上記の図２に示す本発明の第１の実施の形態と同様であるが、ＳＩＰ信号処理ノード装置が複数ある場合のシステムを示している。
【００３９】
本実施の形態では、ＳＩＰ信号処理ノード装置が、ＳＩＰ信号処理ノード装置１の他に、ＳＩＰ信号処理ノード装置２−１〜２−ｎのｎ＋１個ある場合について示している。尚、ＳＩＰ信号処理ノード装置１の構成は図１に示す構成となっている。
【００４０】
保守端末５において試験開始のコマンドが実行された場合、Ｕ−Ｐｌａｎｅ装置１１を搭載しているＳＩＰ信号処理ノード装置１からＳＩＰ信号処理ノード装置２−１へのＳＩＰ信号を、ＩＮＶＩＴＥ，２００ＯＫ（ＩＮＶＩＴＥ），ＡＣＫ（ＩＮＶＩＴＥ）の３つに絞ることにより、その先に複数のＳＩＰ信号処理ノード装置２−３〜２−ｎがあっても、それらのノードではこの３つのＳＩＰ信号しか処理されないことになり、上述した本発明の第１の実施例と同様の効果が得られる。
【産業上の利用可能性】
【００４１】
本発明は、電話システムにおいて、ＳＩＰプロトコルを用いて試験呼を生成する際に適用することができる。
【図面の簡単な説明】
【００４２】
【図１】本発明の第１の実施の形態によるＳＩＰ信号処理ノード装置の構成例を示すブロック図である。
【図２】本発明の第１の実施の形態による電話システムの構成例を示すブロック図である。
【図３】本発明の第１の実施の形態による電話システムの動作例を示すシーケンスチャートである。
【図４】本発明の第２の実施の形態による電話システムの構成例を示すブロック図である。
【符号の説明】
【００４３】
１，２，２−１〜２−ｎ  ＳＩＰ信号処理ノード装置
３  試験電話機
４  被試験電話機
５  保守端末
１０  Ｃ−Ｐｌａｎｅ装置
１１〜１ｍ  Ｕ−Ｐｌａｎｅ装置
１０１  通常呼用セッション処理部
１０２  試験呼用セッション処理部
２０１，２０２  セッション
【図１】
2010147615.tif 000003
【図２】
2010147615.tif 000004
【図３】
2010147615.tif 000005
【図４】
2010147615.tif 000006